(57)【要約】【課題】組み立て後において、指向性を調整することを可能にした単一指向性ダイナミックマイクロホンを得る。【解決手段】磁気ギャップに配置されたボイスコイル５、ボイスコイル５の一端が固着された振動板４を有してなるダイナミックマイクロホンユニット３と、振動板４の前面側へ音波を導く前部音響端子６１と、振動板４の背面側へ音波を導く後部音響端子４３と、振動板４の背面側に形成されている後部空気室４５と、後部空気室４５内に配置されている後部音響抵抗と、を備え、後部音響抵抗は、圧縮されることによって音響抵抗が高くなるスポンジ状音響抵抗材５１と圧縮されても変形しない空孔を持つ板状音響抵抗材７１が重ねられて形成され、スポンジ状音響抵抗材５１の圧縮度を調整することによって後部音響抵抗の値を調整して指向性を調整する圧縮度調整機構９０を備えている。【選択図】図１
2010114705.tif 000002
【特許請求の範囲】
【請求項１】
磁気ギャップを形成する磁気回路構成部材、上記磁気ギャップに配置されたボイスコイル、このボイスコイルの一端が固着された振動板を有してなるダイナミックマイクロホンユニットと、
上記振動板の前面側へ音波を導く前部音響端子と、
上記振動板の背面側へ音波を導く後部音響端子と、
上記振動板の背面側に形成されている後部空気室と、
上記後部空気室内に配置されている後部音響抵抗と、を備え、
上記後部音響抵抗は、圧縮されることによって音響抵抗が高くなるスポンジ状音響抵抗材と圧縮されても変形しない空孔を持つ板状音響抵抗材が重ねられて形成され、
上記スポンジ状音響抵抗材の圧縮度を調整することによって後部音響抵抗の値を調整して指向性を調整する圧縮度調整機構を備えていることを特徴とする単一指向性ダイナミックマイクロホン。
【請求項２】
スポンジ状音響抵抗材と板状音響抵抗材を複数有し、スポンジ状音響抵抗材と板状音響抵抗材が交互に重ねられている請求項１記載の単一指向性ダイナミックマイクロホン。
【請求項３】
スポンジ状音響抵抗材と板状音響抵抗材の組が複数組あり、マイクロホンユニットに近い音響抵抗材の組におけるスポンジ状音響抵抗材の数が多く、マイクロホンユニットから遠ざかるに従い音響抵抗材の組におけるスポンジ状音響抵抗材の数が少なくなっている請求項２記載の単一指向性ダイナミックマイクロホン。
【請求項４】
後部音響抵抗は音響抵抗材収納筒に収納され、スポンジ状音響抵抗材は圧縮されることにより半径方向外側に拡張して上記音響抵抗材収納筒の内周壁に接し、スポンジ状音響抵抗材の外周から音が漏れることを防止している請求項１、２または３記載の単一指向性ダイナミックマイクロホン。
【請求項５】
音響抵抗材収納筒は有底円筒形状をしていて、開放端部にマイクロホンユニットが配置され、底部に圧縮度調整機構が設けられている請求項４記載の単一指向性ダイナミックマイクロホン。
【請求項６】
圧縮度調整機構は、音響抵抗材収納筒の底部を貫いてねじ込まれた調整ねじを有してなり、この調整ねじでスポンジ状音響抵抗材の圧縮度を調整する請求項５記載の単一指向性ダイナミックマイクロホン。
【請求項７】
調整ねじは、押圧部材を介してスポンジ状音響抵抗材を圧縮する請求項６記載の単一指向性ダイナミックマイクロホン。
【請求項８】
後部空気室は、マイクロホンユニット内の空気室とこの空気室に連通する音響抵抗材収納筒の内部空間からなる請求項５、６または７記載の単一指向性ダイナミックマイクロホン。
【請求項９】
音響抵抗材収納筒の底部には、音響抵抗材収納筒の外部に通じる孔が形成されている請求項８記載の単一指向性ダイナミックマイクロホン。
【発明の詳細な説明】
【技術分野】
【０００１】
本発明は、単一指向性ダイナミックマイクロホンに関するもので、無指向性成分を調整することによって、組み立て後においても指向性を調整することを可能にしたことを特徴とするものである。
【背景技術】
【０００２】
図９は、従来の単一指向性ダイナミックマイクロホンの一例を示している。図９において、マイクロホンケースは有底円筒形状の第１ケース１と、この第１ケース１の開放端部内径側に嵌合されて結合された円筒形状の第２ケース２を有してなる。第２ケース２の先端部内周にはダイナミックマイクロホンユニット３が嵌合されることによって固定されている。ダイナミックマイクロホンユニット３は、磁気回路構成部材と、振動板４と、ボイスコイル５を有してなる。磁気回路構成部材は、第２ケース２の先端部内周に嵌合された扁平なカップ状のヨーク３１と、ヨーク３１の底部内面側に固着された円板状の永久磁石３２と、永久磁石３２に重ねて固着された円板状の内側ポールピース３３と、ヨーク３１の開放側端面に固着されたリング状の外側ポールピース３４からなる。内側ポールピース３３の内周面と外側ポールピース３４の外周面との間には磁気ギャップがリング状に形成されている。永久磁石３２から出た磁束は、ヨーク３１、ポールピース３４，３３からなる磁気回路を通り、上記磁気ギャップには磁界が均等に形成されている。
【０００３】
上記振動板４は、樹脂などを素材とする薄膜からなり、かつ、センタードームの部分とその周囲を囲んだサブドームの部分からなる。センタードームは球面の一部を切り取った形をしており、サブドームの横断面は円弧形状をしている。上記第２ケース２の前端は半径方向外側にフランジ状に拡張していて、このフランジ状の第２ケース２の前端部にサブドームの外周縁部が固着されている。振動板４はサブドームの外周縁部を支点として振動することができる。センタードームとサブドームの境界は円形の稜線を形成していて、この稜線に沿ってボイスコイル５が固着されている。ボイスコイル５は細い導線が適宜回数円筒形状になるように巻き回されることによって形成され、その一端が上記振動板４に固着されている。ボイスコイル５は、上記内側ポールピース３３と外側ポールピース３４との間の磁気ギャップに、これらポールピース３３，３４から離間して配置されている。振動板４が音波を受け、その音圧に応じて振動すると、上記磁気ギャップ内でボイスコイル５も振動板４とともに振動し、磁気ギャップの磁界とボイスコイル５との電磁作用によって、ボイスコイル５から信号が出力される。
【０００４】
フランジ状に形成された上記第２ケース２の前端部外周には、ダイナミックマイクロホンユニット３を保護するカバー６が被せられている。カバーはキャップ状に形成されてマイクロホンユニット３の前面を覆うとともに、音波を振動板４に導くための適宜の開口を有している。この開口は前部音響端子６１を構成している。
【０００５】
前記磁気回路構成部材と振動板４との間には空間が形成されている。この空間が密閉されていると、振動板４は受けた音波に忠実に振動することができないので、ヨーク３１の底部に相当する部分に適宜数の孔３６が形成され、これらの孔３６は音響抵抗材３５で覆われている。上記前部音響端子６１は、振動板４の前面側からの音波の入り口となっている。また、振動板４の背面側からの音波の入り口となる後部音響端子２１も形成されている。後部音響端子２１は、第２ケース２の前端部において、第２ケース２の外周から前端に通じるように形成され、後部音響端子２１の前端は振動板４のサブドームの背面に対向して開口している。
【０００６】
第２ケース２の内周側には、マイクロホンユニット３から適宜の間隔をおいて筒８が嵌合され、筒８の後端に接して別の筒９が嵌合されている。筒８，９はいずれも有底の円筒形状で、それらの底部にはそれぞれ適宜の大きさの孔８１，９１が形成されている。筒８は底部を前側に向け、筒９は底部を後ろ側に向けて配置され、これらの筒８，９によって適宜の容積の空気室１５が形成されている。符号１１は、マイクロホンユニット３と筒８の底部との間に間隔が設けられることによって生じている空気室を示している。この空気室１１の容積よりも上記空気室１５の容積が大きい。筒８の上記孔８１は音響抵抗材１２で覆われ、筒９の上記孔９１は音響抵抗材１３で覆われている。筒９の背後には、前記第２ケース１によって上記空気室１５よりも容積の大きい空気室１６が形成されている。
【０００７】
ここで、前部音響端子６１から振動板４の前面に向かって進入する音波の音圧をＰ０、後部音響端子２１から振動板４の背面に向かって進入する音波の音圧をＰ１、振動板４の音響質量をｍ０、振動板４のスティフネスをｓ０、後部音響端子２１の音響質量をｍ１、音響抵抗材３５、１２，１３の音響抵抗をそれぞれｒ１´、ｒ１´´、ｒ１´´´、これらの音響抵抗の合成抵抗をｒ１、前記空気室１１のスティフネスをｓ１´、空気室１２のスティフネスをｓ１´´、これらスティフネスを合成したスティフネスをｓ１とする。図１０は、図９に示す従来の単一指向性ダイナミックマイクロホンの等価回路を、各部の音響質量、スティフネス、音響抵抗を上記のように定義して表したものである。
【０００８】
音響質量ｍ０とスティフネスｓ０で振動板４のインピーダンスを構成している。後部音響端子２１からの音波の音圧Ｐ１は、後部音響端子２１の音響質量ｍ１と音響抵抗ｒ１で分割されて振動板４の背部に加えられる。振動板４の前面にかかる圧力と振動板４の背面にかかる圧力差によってマイクロホンユニットが発電する。いま、振動板４の背部空気室のスティフネスｓ１が無限大で、実質的に短絡されたものとみなすことができれば、後部空気室の合成音響抵抗ｒ１のみが有効に作用するようになり、音響抵抗ｒ１を調整することによって上記後部音響端子２１からの音圧Ｐ１の影響を調整し、指向性を調整することができる。したがって、指向性を調整するためには、上記スティフネスｓ１がなるべく大きいことが望ましく、そのためには後部空気室の容積をなるべく大きくすることが望ましい。しかしながら、空気室の容積を無限に大きくすることはできないから、適切な容積に設計される。
【０００９】
上記従来の単一指向性ダイナミックマイクロホンにおいて、後部空気室の音響質量ｍ１と音響抵抗ｒ１の絶対値が等しい場合、指向特性は図１１に示すようにカージオイドになる。この状態から音響抵抗ｒ１を大きくすると、無指向性成分が減少して指向特性は図１３に示すようにハイパーカージオイドになる。上記音響抵抗ｒ１を大きくするためには、音響抵抗材として例えばナイロンなどを素材とするメッシュを用いる。ナイロンメッシュは音響抵抗値が安定しているという利点がある。しかし、後部の音響抵抗材としてナイロンメッシュを用いると、振動板４の後部空気室のインピーダンスが急激に高まり、図１２に示すように、周波数応答特性において４〜７ｋＨｚに大きな凹凸ができる難点がある。
図１４は、上記従来の単一指向性ダイナミックマイクロホンにおいて、指向特性をハイパーカージオイドにした場合の周波数応答特性を示す。この場合も４〜７ｋＨｚに大きな凹凸が生じている。
【００１０】
振動板４の後部空気室のインピーダンスが急激に高まることのないように、音響抵抗材としてスポンジのような体積のある素材を用いれば、周波数応答特性において大きな凹凸が生じることを防止することができる。しかし、スポンジは音響抵抗値が不安定で、圧縮して用いるなどの方法で適宜の抵抗値に調整する必要がある。
【００１１】
また、広い周波数帯域で単一指向性を保つためには、後部空気室の音響抵抗材を広い周波数帯域で音響抵抗として動作させる必要がある。そのため、図９に示す従来例のように、後部音響室を複数に分割し、その間に音響抵抗材を取り付けた構造が用いられる。空気室１１，１５，１６が複数に分割された後部音響室で、分割された空気室ごとに音響抵抗材３５，１２，１３が取り付けられている。
【００１２】
図９に示す従来例はまた、音響抵抗値を安定に維持することができるナイロンメッシュの類を音響抵抗材として用いる構造になっている。ナイロンメッシュは仮に圧縮されたとしても音響抵抗はほとんど変わらないから、図９に示す従来例において指向性を変えあるいは調整するためには、ナイロンメッシュなどからなる音響抵抗材を取り替えなければならない。したがって、製造時に個々のマイクロホンの指向性が決まり、製造時において、カージオイドのマイクロホンとハイパーカージオイドのマイクロホンは別々に作成されることになる。
【００１３】
図９に示す従来のダイナミックマイクロホンの構成とほぼ同じ構成が特許文献１に記載されている。特許文献１に記載されているダイナミックマイクロホンは、破裂音に起因するポップ雑音の発生を防止するために、破裂音に伴って発生する急激な気流によって変位し、かつ、通気性を有するフィルタを、前部音響端子の前方の所定位置に支持するとともに、上記フィルタの変位により上昇する圧力をユニット外に逃がす開口部を設けたことを特徴としている。上記フィルタ以外のダイナミックマイクロホンの構成は、図９に示す従来例の構成とほぼ同じである。
【００１４】
【特許文献１】特開２００６−２３７９４１号公報
【発明の開示】
【発明が解決しようとする課題】
【００１５】
ここまで説明してきた従来の単一指向性ダイナミックマイクロホンによれば、振動板４の背面側の音響抵抗を調整することにより、指向性をカージオイドからハイパーカージオイドまでの範囲で調整することは可能である。しかし、指向性の調整はマイクロホンの製造工程においてのみ可能で、組み立てられた後、例えば使用条件などに応じてユーザーが指向性を調整することはできない。指向性を調整するために振動板４の背面側の音響抵抗を調整するには、マイクロホンを分解しなければならないからである。マイクロホンを分解することなく、ユーザーが使用条件などに応じて指向性をカージオイドからハイパーカージオイドまでの範囲で調整することができれば便利である。
【００１６】
そこで本発明は、組み立て後において、指向性を調整することを可能にした単一指向性ダイナミックマイクロホンを提供することを目的とする。
【課題を解決するための手段】
【００１７】
本発明は、磁気ギャップを形成する磁気回路構成部材、上記磁気ギャップに配置されたボイスコイル、このボイスコイルの一端が固着された振動板を有してなるダイナミックマイクロホンユニットと、上記振動板の前面側へ音波を導く前部音響端子と、上記振動板の背面側へ音波を導く後部音響端子と、上記振動板の背面側に形成されている後部空気室と、上記後部空気室内に配置されている後部音響抵抗と、を備え、上記後部音響抵抗は、圧縮されることによって音響抵抗が高くなるスポンジ状音響抵抗材と圧縮されても変形しない空孔を持つ板状音響抵抗材が重ねられて形成され、上記スポンジ状音響抵抗材の圧縮度を調整することによって後部音響抵抗の値を調整して指向性を調整する圧縮度調整機構を備えていることを最も主要な特徴とする。
【発明の効果】
【００１８】
板状音響抵抗材とともに後部音響抵抗を構成するスポンジ状音響抵抗材の圧縮度を圧縮度調整機構によって調整することにより、後部音響抵抗の値を調整することができる。前部音響抵抗の値に対して後部音響抵抗の値を可変とすることによりダイナミックマイクロホンの指向性をカージオイドからハイパーカージオイドまでの範囲で調整することができる。スポンジ状音響抵抗材の圧縮度が低く後部音響抵抗の値が低い場合はカージオイドの指向性になる。ハイパーカージオイドの指向性にする場合は、スポンジ状音響抵抗材の圧縮度を高くして後部音響抵抗の値を高くする。空孔を持つ板状音響抵抗材は、圧縮されても変形しないから、指向性を調整した後、後部空気室の容積を一定に保ち続け、後部音響抵抗の値を安定に維持し、もって、調整後の指向性を安定に維持することができる。
【発明を実施するための最良の形態】
【００１９】
以下、本発明に係る単一指向性ダイナミックマイクロホンの実施例を、図面を参照しながら説明する。なお、本発明の実施例を示す図面において、図９に示す従来の単一指向性ダイナミックマイクロホンの構成と同じ構成部分には共通の符号を付した。
【００２０】
図１において、マイクロホンケースは有底円筒形状の第１ケース１と、この第１ケース１の開放端部内径側に嵌合されて結合された円筒形状の第２ケースとしての音響抵抗材収納筒４０を有してなる。音響抵抗材収納筒４０の先端部内周にはダイナミックマイクロホンユニット３が嵌合されることによって固定されている。ダイナミックマイクロホンユニット３は、磁気回路構成部材と、振動板４と、ボイスコイル５を有してなる。磁気回路構成部材は、音響抵抗材収納筒４０の先端部内周に嵌合された扁平なカップ状のヨーク３１と、ヨーク３１の底部内面側に固着された円板状の永久磁石３２と、永久磁石３２に重ねて固着された円板状の内側ポールピース３３と、ヨーク３１の開放側端面に固着されたリング状の外側ポールピース３４を有してなる。内側ポールピース３３の内周面と外側ポールピース３４の外周面との間には磁気ギャップがリング状に形成されている。永久磁石３２から出た磁束は、ヨーク３１、ポールピース３４，３３からなる磁気回路を通り、上記磁気ギャップには磁界が均等に形成されている。
【００２１】
上記振動板４は、樹脂などを素材とする薄膜からなり、かつ、センタードームの部分とその周囲を囲んだサブドームの部分からなる。センタードームは球面の一部を切り取った形をしており、サブドームの横断面は円弧形状をしている。上記音響抵抗材収納筒４０の前端は半径方向外側にフランジ状に拡張していて、このフランジ状の音響抵抗材収納筒４０の前端部に上記振動板４のサブドームの外周縁部が固着されている。振動板４はサブドームの外周縁部を支点として振動することができる。振動板４のセンタードームとサブドームの境界は円形をなす稜線を形成していて、この稜線に沿ってボイスコイル５が固着されている。ボイスコイル５は細い導線が適宜回数円筒形状になるように巻き回されることによって形成され、その一端が上記振動板４に固着されている。ボイスコイル５は、上記内側ポールピース３３と外側ポールピース３４との間の磁気ギャップに、これらポールピース３３，３４から離間して配置されている。振動板４が音波を受け、その音圧に応じて振動すると、上記磁気ギャップ内でボイスコイル５も振動板４とともに振動し、磁気ギャップの磁界とボイスコイル５との電磁作用によって、ボイスコイル５から信号が出力される。
【００２２】
フランジ状に形成された上記音響抵抗材収納筒４０の前端部外周には、ダイナミックマイクロホンユニット３を保護するカバー６が被せられている。カバーはキャップ状に形成されてマイクロホンユニット３の前面を覆うとともに、音波を振動板４に導くための適宜の開口を有している。この開口は前部音響端子６１を構成している。
【００２３】
前記磁気回路構成部材と振動板４との間には空間が形成されている。この空間が密閉されていると、振動板４は受けた音波に忠実に振動することができないので、ヨーク３１の底部に相当する部分に適宜数の孔３６が形成され、これらの孔３６は音響抵抗材３５で覆われている。上記前部音響端子６１は、振動板４の前面側からの音波の入り口となっている。また、振動板４の背面側からの音波の入り口となる後部音響端子４３も形成されている。後部音響端子４３は、音響抵抗材収納筒４０の前端部において、音響抵抗材収納筒４０の外周から前端に通じる孔によって形成され、後部音響端子４３の前端は振動板４のサブドームの背面に対向して開口している。
【００２４】
ここまでの構成は図９に示す従来の単一指向性ダイナミックマイクロホンの構成とほぼ同じであるが、以下に説明する後部空気室および後部音響抵抗の構成に、従来にない特徴がある。音響抵抗材収納筒４０は有底円筒形状の部材で、開放端がマイクロホンユニット３を構成するヨーク３１の背面に接している。音響抵抗材収納筒４０の内部空間は後部空気室４５を構成している。後部空気室４５はマイクロホンユニット３のヨーク３１に形成されている孔３６を介し振動板４の背面側に形成されている空気室と連通している。
【００２５】
音響抵抗材収納筒４０の内部空間には、後部音響抵抗が配置されている。後部音響抵抗は圧縮されることによって音響抵抗が高くなるスポンジ状音響抵抗材と、圧縮されても変形しない空孔を持つ板状音響抵抗材が重ねられることによって形成されている。上記スポンジ状音響抵抗材と上記板状音響抵抗材はそれぞれ複数有り、スポンジ状音響抵抗材と板状音響抵抗材が交互に重ねられている。また、スポンジ状音響抵抗材と板状音響抵抗材の組が複数組ある。図１に示す実施例における上記後部音響抵抗の構成を以下に具体的に説明する。
【００２６】
音響抵抗材収納筒４０の内部空間で構成される後部空気室４５には、マイクロホンユニット３から後方に向かって順に、３枚のスポンジ状音響抵抗材５１、１枚の板状音響抵抗材７１、２枚のスポンジ状音響抵抗材５１、１枚の板状音響抵抗材７１、１枚のスポンジ状音響抵抗材５１、１枚の押圧部材８０が配置されている。上記３枚のスポンジ状音響抵抗材５１と１枚の板状音響抵抗材７１、２枚のスポンジ状音響抵抗材５１と１枚の板状音響抵抗材７１はそれぞれ一組の音響抵抗を構成している。押圧部材８０に板状音響抵抗材を兼ねさせて上記１枚のスポンジ状音響抵抗材５１とで一組の音響抵抗を構成してもよいが、図示の実施例では、押圧部材８０は純粋な押圧部材となっている。上記の構成から明らかなように、上記各音響抵抗材は、マイクロホンユニット３に近い音響抵抗材の組におけるスポンジ状音響抵抗材５１の数が多く、マイクロホンユニット３から遠ざかるに従い音響抵抗材の組におけるスポンジ状音響抵抗材５１の数が少なくなっている。
【００２７】
上記複数の音響抵抗材の最後部から音響抵抗材を押圧する押圧部材８０には適宜数の孔８１が形成されている。音響抵抗材収納筒４０は、その底板に相当する部分に適宜数の孔４１が形成されている。この孔４１と上記押圧部材８０の孔８１によって、音響抵抗材収納筒４０の背後に第１ケース１の内部空間によって形成されている空気室１８と、音響抵抗材収納筒４０の内部空間によって形成されている上記空気室４５が連通している。また、音響抵抗材収納筒４０の底板に相当する部分を貫いて調整ねじ９０がねじ込まれている。調整ねじ９０の先端は上記押圧部材８０に当接している。調整ねじ９０は押圧部材８０を押圧し、これによって各スポンジ状音響抵抗材５１を圧縮することができる。調整ねじ９０は、そのねじ込み度合いを調整することによりスポンジ状音響抵抗材５１の圧縮度を調整し、これによって後部音響抵抗の値を調整して指向性を調整する圧縮度調整機構を構成している。
【００２８】
図２は、各スポンジ状音響抵抗材５１が圧縮されない自然状態を示している。この状態における後部音響抵抗が最も低い。圧縮度調整機構を構成する調整ねじ９０を音響抵抗材収納筒４０の内方に向かってねじ込み、押圧部材８０をマイクロホンユニット３に向かって押圧すると、図３に示すように各スポンジ状音響抵抗材５１が圧縮される。各スポンジ状音響抵抗材５１の圧縮度が高まるにしたがって後部音響抵抗が高くなる。そこで、例えば、指向性がカージオイドになるように各スポンジ状音響抵抗材５１の圧縮度を調整しておく。用途や好みによってハイパーカージオイドの指向性を望む場合は、調整ねじ９０をねじ込んで各スポンジ状音響抵抗材５１を圧縮する。カージオイドからハイパーカージオイドまで、連続的に指向性を調整することができる。また、第１ケース１を音響抵抗材収納筒４０から外せば、調整ねじ９０の調整だけで指向性を調整することができるので、マイクロホンを組み立てた後であっても、例えばユーザーが望む指向性になるように調整することができる。
【００２９】
各スポンジ状音響抵抗材５１が圧縮された状態では、図３に示すように各スポンジ状音響抵抗材５１が半径方向外側に拡張して音響抵抗材収納筒４０の内周壁に圧接し、音声が音響抵抗材５１の外側に漏洩することを防止することができる。各板状音響抵抗材７１が有している複数の空孔は空気室として動作する。
【００３０】
図８は、上記実施例の等価回路を示す。図１０に示す従来例の等価回路と比較すると、当然ながら後部音響抵抗の構成が異なっている。いま、図１に示すように、マイクロホンユニット３に近接した３枚のスポンジ状音響抵抗材５１の合成音響抵抗をｒ１１、その次に配置されている板状音響抵抗材７１が維持している空気室のスティフネスをＳ１１、次の２枚のスポンジ状音響抵抗材５１の合成音響抵抗をｒ１２、次の板状音響抵抗材７１が維持している空気室のスティフネスをＳ１２、マイクロホンユニット３から最も遠い１枚のスポンジ状音響抵抗材５１の音響抵抗をｒ１３、第１ケース１の内部に形成されている空気室１８のスティフネスをＳ１３とする。また、図９に示す従来例と同様に、前部音響端子６１から振動板４の前面に向かって進入する音波の音圧をＰ０、後部音響端子２１から振動板４の背面に向かって進入する音波の音圧をＰ１、振動板４の音響質量をｍ０、振動板４のスティフネスをｓ０、後部音響端子２１の音響質量をｍ１とする。
【００３１】
図８に示すように、上記実施例の等価回路は、後部音響抵抗の部分が、上記音響抵抗ｒ１１，ｒ１２，ｒ１３とスティフネスＳ１３を直列に接続し、また、音響抵抗ｒ１１，ｒ１２とスティフネスＳ１２を直列に接続し、音響抵抗ｒ１１とスティフネスＳ１１を直列に接続した形になっている。上記音響抵抗ｒ１１，ｒ１２，ｒ１３とスティフネスＳ１３の直列接続は図１に矢印付きの線Ａで示されていて、低音域の周波数帯域に対して有効な音響抵抗として動作する。上記音響抵抗ｒ１１，ｒ１２とスティフネスＳ１２の直列接続は図１に矢印付きの線Ｂで示されていて、中音域の周波数帯域に対して有効な音響抵抗として動作する。上記音響抵抗ｒ１１とスティフネスＳ１１の直列接続は図１に矢印付きの線Ｃで示されていて、高音域の周波数帯域に対して有効な音響抵抗として動作する。
【００３２】
図４は、上記実施例において、圧縮度調整機構を構成する調整ねじ９０により各スポンジ状音響抵抗材５１の圧縮度を適度に調整して得ることができるカージオイドの指向性を示している。このときの周波数応答特性を図５に示す。図６は、上記調整ねじ９０をねじ込み、各スポンジ状音響抵抗材５１の圧縮度を高めて後部音響抵抗を高め、これによって得ることができるハイパーカージオイドの指向性を示している。このときの周波数応答特性を図７に示す。
【００３３】
図５、図７に示す周波数応答特性を、図１２、図１４に示す従来例の周波数応答特性と比較すると、４〜７ｋＨｚの周波数における凹凸がなくなっている。その要因は、圧縮されることによって音響抵抗が高くなる複数のスポンジ状音響抵抗材と、圧縮されても変形しない空孔を持つ複数の板状音響抵抗材を交互に重ねることによって後部音響抵抗を構成し、スポンジ状音響抵抗材と板状音響抵抗材の組ごとに、周波数帯域ごとの後部音響抵抗を分担させたことと、各板状音響抵抗材５１は圧縮力を変化させても変形せず、所定の容積の空孔を維持するため、一定の音響抵抗を維持することによる。
【００３４】
以上説明した単一指向性ダイナミックマイクロホンの実施例によれば、スポンジ状音響抵抗材の圧縮度調整機構の操作のみで指向性を調整することができるため、一つの仕様でマイクロホンを製作するだけで、指向性の異なる多くの機種に展開することができる。また、ユーザーが指向性を調整することも容易である。
【００３５】
スポンジ状音響抵抗材と板状音響抵抗材の組は２組でも、３組以上であってもよい。また、図示の実施例では各組のスポンジ状音響抵抗材の数をマイクロホンユニット側から順に少なくしているが、各組のスポンジ状音響抵抗材の数は任意である。また、各組のスポンジ状音響抵抗材の密度を変えてもよい。
【図面の簡単な説明】
【００３６】
【図１】本発明にかかる単一指向性ダイナミックマイクロホンの実施例を示す縦断面図である。
【図２】上記実施例の一作動態様を示す要部縦断面図である。
【図３】上記実施例の異なる作動態様を示す要部縦断面図である。
【図４】上記実施例によって得られるカージオイドの指向性を示すグラフである。
【図５】上記カージオイドの指向性に調整したときの周波数応答特性を示すグラフである。
【図６】上記実施例によって得られるハイパーカージオイドの指向性を示すグラフである。
【図７】上記ハイパーカージオイドの指向性に調整したときの周波数応答特性を示すグラフである。
【図８】上記実施例を音響的な回路構成で表した等価回路図である。
【図９】従来の単一指向性ダイナミックマイクロホンの例を示す縦断面図である。
【図１０】上記従来例を音響的な回路構成で表した等価回路図である。
【図１１】上記従来例によって得られるカージオイドの指向性を示すグラフである。
【図１２】上記カージオイドの指向性に調整したときの周波数応答特性を示すグラフである。
【図１３】上記従来例によって得られるハイパーカージオイドの指向性を示すグラフである。
【図１４】上記ハイパーカージオイドの指向性に調整したときの周波数応答特性を示すグラフである。
【符号の説明】
【００３７】
１    第１ケース
３    ダイナミックマイクロホンユニット
４    振動板
５    ボイスコイル
４０    音響抵抗材収納筒
４１    孔
４３    後部音響端子
４５    後部空気室
５１    スポンジ状音響抵抗材
６１    前部音響端子
７１    板状音響抵抗材
８０    押圧部材
９０    調整ねじ
【図１】
2010114705.tif 000003
【図２】
2010114705.tif 000004
【図３】
2010114705.tif 000005
【図４】
2010114705.tif 000006
【図５】
2010114705.tif 000007
【図６】
2010114705.tif 000008
【図７】
2010114705.tif 000009
【図８】
2010114705.tif 000010
【図９】
2010114705.tif 000011
【図１０】
2010114705.tif 000012
【図１１】
2010114705.tif 000013
【図１２】
2010114705.tif 000014
【図１３】
2010114705.tif 000015
【図１４】
2010114705.tif 000016